(57)【特許請求の範囲】
【請求項１】
表示領域が複数の画素からなり、一つの該画素が複数のドットからなる電気光学装置用基板において、
前記ドットは、反射領域と、該反射領域に設けられた反射層と、該反射層に設けられた少なくとも一つ以上の開口部からなる透過領域と、該反射層に平面的に重ねられた着色層と、を備え、
一の前記ドットに設けられた前記着色層は、前記一のドットに設けられた前記透過領域を平面的に覆い、且つ前記透過領域を覆う領域においてその他の領域よりも厚く、
前記一つの画素を構成する前記複数のドットに設けられた前記着色層の色は互いに異なり、
前記複数のドットのうち少なくとも一つのドットに設けられた前記透過領域の面積は、前記複数のドットのうち他のドットに設けられた透過領域の面積とは異なることを特徴とする電気光学装置用基板。
【請求項２】
表示領域が複数の画素からなり、一つの該画素が複数のドットからなる電気光学装置において、
前記ドットは、反射領域と、該反射領域に設けられた反射層と、該反射層に設けられた少なくとも一つ以上の開口部からなる透過領域と、該反射層に平面的に重なるように設けられた着色層と、を備え、
一の前記ドットに設けられた前記着色層は、前記一のドットに設けられた前記透過領域を平面的に覆い、且つ前記透過領域を覆う領域においてその他の領域よりも厚く、
前記反射層の前記着色層と反対側には、前記複数の透過領域に照明光を照射する照明装置が配置され、
前記一つの画素を構成する前記複数のドットに設けられた前記着色層の色は互いに異なり、
前記複数のドットのうち少なくとも一つのドットに設けられた前記透過領域の面積は、前記複数のドットのうち他のドットに設けられた透過領域の面積とは異なることを特徴とする電気光学装置。
【請求項３】
請求項２に記載の電気光学装置において、
前記透過領域は、前記反射層に設けられた開口部であり、
前記反射層及び前記照明装置間には、少なくとも一つ以上の開口部が設けられた下地層が配置され、
前記下地層の前記開口部は、前記反射層の前記開口部と平面的に重なり、
一の前記ドットに設けられた前記着色層は、前記一のドットに設けられた前記反射層の前記開口部及び前記下地層の前記開口部の内部に埋設された状態で設けられていることを特徴とする電気光学装置。
【請求項４】
請求項２に記載の電気光学装置において、
前記一つの画素を構成する前記複数のドット各々が有する透過領域の面積は、前記画素を通過した前記照明光のＣＩＥ色度図上の白色がｘ＝０．２〜０．５、ｙ＝０．２〜０．５となるように調整されていることを特徴とする電気光学装置。
【請求項５】
請求項２に記載の電気光学装置において、
前記一つの画素を構成する前記複数のドットは少なくとも第１のドットと第２のドットを有し、
前記第１のドットに設けられた着色層に対応する波長領域における前記照明光の強度は、前記第２のドットに設けられた着色層に対応する波長領域における前記照明光の強度よりも強く、前記第１のドットが有する透過領域の面積は前記第２のドットが有する透過領域の面積よりも小さいことを特徴とする電気光学装置。
【請求項６】
請求項２乃至請求項５のいずれか１項に記載の電気光学装置において、
前記ドットが有する透過領域の面積は、前記ドットに設けられた前記少なくとも一つ以上の透過領域の個数によって調整されていることを特徴とする電気光学装置。
【請求項７】
一対の基板を有し、表示領域が複数の画素からなり、一つの該画素が複数のドットからなる電気光学装置において、
前記ドットは、反射領域と、該反射領域に設けられた反射層と、該反射層に設けられた少なくとも一つ以上の開口部からなる透過領域と、該反射層に平面的に重ねられた着色層と、を備え、
前記画素は、波長４００ｎｍ〜５００ｎｍで透過率のピーク値を示す第１着色層を設けた第１ドットと、波長５００ｎｍ〜６００ｎｍで透過率のピーク値を示す第２着色層を設けた第２ドット及び波長６００ｎｍ以上で透過率のピーク値を示す第３着色層を設けた第３ドットを少なくとも有し、
一の前記ドットに設けられた前記着色層は、一の前記ドットに設けられた前記透過領域を平面的に覆い、且つ前記透過領域を覆う領域においてその他の領域よりも厚く、
前記反射層の前記着色層と反対側には、前記複数の透過領域に照明光を照射する照明装置が配置され、
前記第１ドット乃至第３ドット各々が有する透過領域の面積は、前記画素を通過した前記照明光のＣＩＥ色度図上の白色がｘ＝０．２〜０．５、ｙ＝０．２〜０．５となるように調整されていることを特徴とする電気光学装置。
【請求項８】
請求項７に記載の電気光学装置において、
前記第１ドット乃至第３ドット各々が有する透過領域の面積は、前記画素を透過した前記照明光のＣＩＥ色度図上の白色点の座標を（Ｘ，Ｙ）としたときに、
（Ｘ−０．３１）2＋（Ｙ−０．３１）2≦（０．１０）2
の関係を満足するように調整されていることを特徴とする電気光学装置。
【請求項９】
請求項７または請求項８に記載の電気光学装置において、
前記ドットが有する透過領域の面積は、前記ドットに設けられた前記少なくとも一つ以上の透過領域の個数によって調整されていることを特徴とする電気光学装置。
【請求項１０】
請求項２〜９のいずれかに記載された電気光学装置を備えてなることを特徴とする電子機器。
【発明の詳細な説明】
【０００１】
【発明の属する技術分野】
本発明は電気光学装置用基板、電気光学装置及び電子機器に関する。さらに詳しくは、電気光学装置に用いられる場合、透過型表示における照明光の分光特性が不均一な場合であっても、これに起因する色再現性の低下を抑え、ホワイトバランスに優れた画像表示を実現することができるとともに、反射型表示の明るさを低下させることなく、透過型表示の色の濃さを向上させることができる、電気光学装置用基板、電気光学装置及び電子機器に関する。
【０００２】
【従来の技術】
近年、携帯電話機、携帯型パーソナルコンピュータ等の電子機器に電気光学装置、例えば、液晶装置が広く用いられるようになっている。この液晶装置は用途により様々な形態があり、例えば、暗い場所で使用する場合や、画像表示部の輝度を特に必要とする場合等は、液晶装置の背面に設置された照明装置からの光を入射させて表示を行う透過型の液晶装置が用いられており、また、使用場所が十分に明るい場合や、特に画像表示部の輝度を必要としない場合は、自然光や室内照明等の外光を画像表示部前面から入射させ、この光を反射させて表示を行う反射型が用いられている。さらに、これら透過型と反射型の表示の両方が可能な、いわゆる半透過反射型の液晶装置も用いられている。
【０００３】
図１７は、従来の半透過反射型の液晶装置１００の構造を模式的に示す概略断面図である。この液晶装置１００は、基板１０１と基板１０２とがシール材１０３によって貼り合せられ、基板１０１と基板１０２との間に液晶１０４を封入した構造を備えている。
【０００４】
基板１０１の内面上には、画素毎に開口部１１１ａと反射部１１１ｒとを有する反射層１１１が形成され、この反射層１１１の上に着色層１１２ｒ、１１２ｇ、１１２ｂ及び表面保護層１１２ｐを備えたカラーフィルタ１１２が形成されている。カラーフィルタ１１２の表面保護層１１２ｐの表面上には透明電極１１３が形成されている。
【０００５】
一方、基板１０２の内面上には透明電極１２１が形成され、対向する基板１０１上の上記透明電極１１３と交差するように構成されている。なお、基板１０１上や基板１０２上には、配向膜や硬質透明膜等が必要に応じて適宜に形成される。
【０００６】
また、上記の基板１０２の外面上には位相差板（１／４波長板）１０５及び偏光板１０６が順次配置され、基板１０１の外面上には位相差板（１／４波長板）１０７及び偏光板１０８が順次配置されている。
【０００７】
以上のように構成された液晶装置１００は、携帯電話機、携帯型パーソナルコンピュータ等の電子機器に設置される場合、その背後に照明装置１０９が配置された状態で取付けられる。この液晶装置１００においては、昼間や屋内等の明るい場所では反射経路Ｒに沿って外光が液晶１０４を透過した後に反射部１１１ｒにて反射され、再び液晶１０４を透過して放出されるので、反射型表示が視認される。一方、夜間や野外等の暗い場所では照明装置１０９を点灯させることにより、照明装置１０９の照明光のうち開口部１１１ａを通過した光が透過経路Ｔに沿って液晶装置１００を通過して放出されるので、透過型表示が視認される。
【０００８】
【発明が解決しようとする課題】
このように構成された液晶装置の照明装置は、ＬＥＤ（Ｌｉｇｈｔ  Ｅｍｉｔｔｉｎｇ  Ｄｉｏｄｅ）や、冷陰極管等を光源としているが、このような光源から出射された照明光は、その輝度（強度）が可視光領域内の全ての波長にわたっては均一とならない場合が多い。このように輝度の分布が均一ではない光を用いて透過型表示を行うと、液晶層を通過して出射する光の分光特性も不均一となってしまうことになる。例えば、青色の発色を行う波長における輝度が、他の色の発色を行う波長における輝度と比較して高い分光特性を有する照明装置を用いて透過型表示を行った場合、画像表示が青みがかってしまい、ホワイトバランスが低下するという問題があった。
【０００９】
また、半透過反射型の液晶装置においては、反射型として用いた場合、画像表示部前面から入射した外光は着色層を通過した後、反射膜で反射し再度着色層を通過するため、着色層の通過距離が、着色層を一度だけ通過する透過型表示の場合に比べ二倍以上になり、表示される画像の明るさが低下することになる。このような反射型として用いた場合に十分な明るさの画像表示を得るためには、着色層の厚みを薄くしたり、顔料濃度を減少させる必要があるが、このような条件であると透過型として用いる場合に、十分な色の濃さの画像表示が得られないことになる。逆に、着色層を厚くしたり、顔料濃度を増加させたりすることによって透過型として十分な色の濃さの画像表示を得るように着色層の条件を設定すると、反射型として十分な明るさの画像表示を得ることができないことになる。このように、反射型として十分な明るさの画像表示を得ることと、透過型で十分な色の濃さの画像表示を得ることとは、二律背反の関係にあり、両者を両立させることは極めて困難であるという問題もあった。
【００１０】
本発明は、上述の問題に鑑みてなされたものであって、電気光学装置に用いられる場合、透過型表示における照明光の分光特性が不均一な場合であっても、これに起因する色再現性の低下を抑え、ホワイトバランスに優れた画像表示を実現することができるとともに、反射型表示の明るさを低下させることなく、透過型表示の色の濃さを向上させることができる、電気光学装置用基板、電気光学装置及び電子機器を提供することを目的とする。
【００１１】
【課題を解決するための手段】
上述の目的を達成するために、本発明の電気光学装置用基板は、表示領域が複数の画素からなり、一つの該画素が複数のドットからなる電気光学装置用基板において、前記ドットは、反射領域と、該反射領域に設けられた反射層と、該反射層に設けられた少なくとも一つ以上の開口部からなる透過領域と、該反射層に平面的に重ねられた着色層と、を備え一の前記ドットに設けられた前記着色層は、前記一のドットに設けられた前記透過領域を平面的に覆い、且つ前記透過領域を覆う領域においてその他の領域よりも厚く、
前記一つの画素を構成する前記複数のドットに設けられた前記着色層の色は互いに異なり、
前記複数のドットのうち少なくとも一つのドットに設けられた前記透過領域の面積は、前記複数のドットのうち他のドットに設けられた透過領域の面積とは異なることを特徴と
する。
【００１２】
また、本発明の電気光学装置は、表示領域が複数の画素からなり、一つの該画素が複数のドットからなる電気光学装置において、前記ドットは、反射領域と、該反射領域に設けられた反射層と、該反射層に設けられた少なくとも一つ以上の開口部からなる透過領域と、該反射層に平面的に重なるように設けられた着色層と、を備え、一の前記ドットに設けられた前記着色層は、前記一のドットに設けられた前記透過領域を平面的に覆い、且つ前記透過領域を覆う領域においてその他の領域よりも厚く、前記反射層の前記着色層と反対側には、前記複数の透過領域に照明光を照射する照明装置が配置され、前記一つの画素を構成する前記複数のドットに設けられた前記着色層の色は互いに異なり、前記複数のドットのうち少なくとも一つのドットに設けられた前記透過領域の面積は、前記複数のドットのうち他のドットに設けられた透過領域の面積とは異なることを特徴とする。
【００１３】
このように構成することによって、透過型表示における照明光の分光特性が不均一な場合であっても、これに起因する色再現性の低下を抑え、ホワイトバランスに優れた画像表示を実現することができる。例えば、照明装置から出射した照明光が、青色の発色を行う波長における輝度が他の色の発色を行う波長における輝度と比較して高い分光特性を有する場合においては、透過型表示は青色が濃く表示され、ホワイトバランスも青色に偏ってしまうが、青色の着色層によって覆われている透過領域の面積を縮小し青色の光の絶対量を減少させることで、画像表示が青色に偏るのを防ぎ、ホワイトバランスに優れた画像表示を実現することができる。また、反射型表示の明るさを低下させることなく、透過型表示の色の濃さを向上させることができる。
【００１４】
また、本発明の電気光学装置は、一対の基板を有し、表示領域が複数の画素からなり、一つの該画素が複数のドットからなる電気光学装置において、前記ドットは、反射領域と、該反射領域に設けられた反射層と、該反射層に設けられた少なくとも一つ以上の開口部からなる透過領域と、該反射層に平面的に重ねられた着色層と、を備え、前記画素は、波長４００ｎｍ〜５００ｎｍで透過率のピーク値を示す第１着色層を設けた第１ドットと、波長５００ｎｍ〜６００ｎｍで透過率のピーク値を示す第２着色層を設けた第２ドット及び波長６００ｎｍ以上で透過率のピーク値を示す第３着色層を設けた第３ドットを少なくとも有し、一の前記ドットに設けられた前記着色層は、一の前記ドットに設けられた前記透過領域を平面的に覆い、且つ前記透過領域を覆う領域においてその他の領域よりも厚く、
前記反射層の前記着色層と反対側には、前記複数の透過領域に照明光を照射する照明装置が配置され、前記第１ドット乃至第３ドット各々が有する透過領域の面積は、前記画素を通過した前記照明光のＣＩＥ色度図上の白色がｘ＝０．２〜０．５、ｙ＝０．２〜０．５となるように調整されていることを特徴とする。
【００１５】
このように構成することによって、透過型表示における照明光の分光特性が不均一な場合であっても、これに起因する色再現性の低下を抑え、ホワイトバランスに優れた画像表示を実現することができる。例えば、波長４００ｎｍ〜５００ｎｍで透過率のピーク値を示す着色層（例えば、青の着色層）、波長５００ｎｍ〜６００ｎｍで透過率のピーク値を示す着色層（例えば、緑の着色層）、波長６００ｎｍ以上で透過率のピーク値を示す着色層（例えば、赤の着色層）のような三色の着色層を用いることで、美麗なフルカラーの画像表示を実現することができる。さらに、各着色層を通過した照明光を混合した色がＣＩＥ色度図上のｘ＝０．２〜０．５、ｙ＝０．２〜０．５となるような照明光の分光特性を有するように、各透過領域の面積を調節することで、色再現性及びホワイトバランスに優れた画像表示を実現することができる。また、反射型表示の明るさを低下させることなく、透過型表示の色の濃さを向上させることができる。
【００１６】
【発明の実施の形態】
以下、本発明の電気光学装置用基板、電気光学装置及び電子機器の実施の形態について、液晶装置用基板及び液晶装置を例にとって図面を参照しつつ具体的に説明する。なお、本実施の形態の説明に用いた各図においては、各層や各部材を図面上で認識可能な程度の大きさとするため、各層や各部材毎に縮尺を異ならしめてある。
【００１７】
［第１の実施の形態］
図１は、本発明の電気光学装置の第１の実施の形態である液晶装置の外観構造を示す概略斜視図である。図１に示すように、この液晶装置２００は、いわゆる半透過反射方式のパッシブマトリクス型の液晶装置であり、ガラス板や合成樹脂板等からなる透明な第１基板２１１を基体とする液晶装置用基板２１０と、第２基板２２１を基体とする対向基板２２０とが、電気光学物質としての液晶２３２を挟んでシール材２３０を介して貼り合わせられている。液晶装置用基板２１０の背面には、照明装置２７０が配置されている。
【００１８】
第１基板２１１の内面（第２基板２２１に対向する表面）上には複数並列したストライプ状の透明電極２１６が形成され、第２基板２２１の内面上には複数並列したストライプ状の透明電極２２２が形成されている。また、上記透明電極２１６は配線２１８Ａに導電接続され、上記透明電極２２２は配線２２８に導電接続されている。透明電極２１６と透明電極２２２とは相互に直交し、その交差領域はマトリクス状に配列された多数のドット２８０を構成し、通常、三色のドット２８０が１画素となり、この画素配列が液晶表示領域Ａを構成している。
【００１９】
第１基板２１１は第２基板２２１の外形よりも外側に張り出してなる基板張出部２１０Ｔを有し、この基板張出部２１０Ｔ上には、上記配線２１８Ａ、上記配線２２８に対してシール材２３０の一部で構成される上下導通部を介して導電接続された配線２１８Ｂ、及び独立して形成された複数の配線パターンからなる入力端子部２１９が形成されている。また、基板張出部２１０Ｔ上には、これら配線２１８Ａ、２１８Ｂ、及び入力端子部２１９に対して導電接続されるように、液晶駆動回路等を内蔵した半導体ＩＣ２６１が実装されている。また、基板張出部２１０Ｔの端部には、上記入力端子部２１９に導電接続されるように、フレキシブル配線基板２６３が実装されている。
【００２０】
＜液晶装置用基板の構造＞
次に、図２を用いて、本実施の形態における液晶装置用基板２１０の構造を具体的に説明する。図２は、図１に示す第１の実施の形態である液晶装置２００を一部拡大して示す説明図であって、（ａ）は、断面図、（ｂ）は、その液晶装置用基板部分における一部拡大図である。図２（ａ）に示すように、第１基板２１１の表面には、ＳｉＯ2やＴｉＯ2等の無機材料又はアクリル樹脂やエポキシ樹脂等の有機樹脂等から構成される下地層２１３が形成され、下地層２１３には後述する反射層２１２の透過領域に対応する領域に開口部が形成されている。さらに下地層２１３の上には、アルミニウム、銀もしくはこれらの合金、又はアルミニウム、銀もしくはこれらの合金と、チタン、窒化チタン、モリブデン、タンタル等との積層膜から構成された反射層２１２が形成されている。反射層２１２は、ドット毎に、照明装置２７０からの光を透過するための透過領域と、外光を反射するための反射領域２１２ｒとを有するように形成されている。本実施形態においては、１ドットに対応する反射領域２１２ｒは、１ドット領域における開口部（透過領域）２１２ａ以外の領域となっている。液晶装置用基板２１０の表面には、反射層２１２と下地層２１３とによって、反射層２１２の透光領域に凹部２６０が形成されている。
【００２１】
反射層２１２の上には、着色層２１５が第１基板２１１上に形成された凹部２６０を完全に覆うように形成されている。本実施の形態においては、着色層は、Ｒ（赤）、Ｇ（緑）及びＢ（青）の３色の着色層２１５Ｒ、２１５Ｇ、２１５Ｂから構成されている。
【００２２】
本実施の形態においては、各透過領域は反射層２１２に設けられる開口部２１２ａであり、反射層２１２と照明装置２７０との間には、複数の開口部が設けられる下地層２１３が配置され、下地層２１３の各開口部は、反射層２１２の開口部２１２ａとそれぞれ平面的に重なり、各着色層２１５Ｒ、２１５Ｇ、２１５Ｂは、反射層２１２の各開口部２１２ａ及び下地層２１３の各開口部の内部に埋設された状態でそれぞれ設けられている。
【００２３】
このように構成することによって、下地層２１３の開口部の内部にまで設けられた各着色層２１５Ｒ、２１５Ｇ、２１５Ｂは、透過領域（開口部２１２ａの形成領域）において、反射領域２１２ｒよりも着色層２１５Ｒ、２１５Ｇ、２１５Ｂの厚みが厚くなり、透過型表示の場合において、着色層２１５Ｒ、２１５Ｇ、２１５Ｂを一回しか通過しない透過光であっても、色の濃い画像表示を実現することができる。ここで、各着色層２１５Ｒ、２１５Ｇ、２１５Ｂの透過領域（開口部２１２ａの形成領域）における厚さは、着色層２１５Ｒ、２１５Ｇ、２１５Ｂの夫々の液晶側表面がほぼ均一に形成されている場合には、各着色層２１５Ｒ、２１５Ｇ、２１５Ｂの反射領域２１２ｒと平面的に重なる部分、すなわちその他の部分の厚さのほぼ２倍であることが好ましい。より具体的には１．４倍〜２．６倍の範囲内であることが好ましく、１．７倍〜２．３倍の範囲内であることが望ましい。このようにすると、反射型表示の彩度と、透過型表示の彩度との差異をさらに低減し、両表示間の色彩の相違をさらに低減できる。
【００２４】
着色層２１５Ｒ、２１５Ｇ、２１５Ｂは、通常、透明樹脂中に顔料や染料等の着色材を分散させて所定の色調を呈するように形成されている。また、各着色層２１５Ｒ、２１５Ｇ、２１５Ｂが形成される領域の境界部分においてＲ（赤）、Ｇ（緑）、Ｂ（青）の三色が互いに重なるように配置され、黒色遮光膜２１５ＢＭ（ブラックマスク）を形成している。
【００２５】
図２（ｂ）に示すように、反射層２１２の開口部２１２ａは、それぞれ大きさが異なるように形成されている。各ドット毎の開口部２１２ａの大きさは、開口部２１２ａの上に配設される着色層２１５Ｒ、２１５Ｇ、２１５Ｂの色によって異なっている。本実施の形態においては、開口部２１２ａの大きさは、Ｒ（赤）、Ｇ（緑）、Ｂ（青）の色を有するドット２８０Ｒ、２８０Ｇ、２８０Ｂ毎にそれぞれｌ、ｍ、ｎとなっている。開口部２１２ａの大きさｌ、ｍ、ｎの決定方法は、後述する照明装置の構造の説明の際に併せて説明する。
【００２６】
さらに、図２（ａ）に示すように、着色層２１５Ｒ、２１５Ｇ、２１５Ｂの上には、ＳｉＯ2やＴｉＯ2等の無機材料又はアクリル樹脂やエポキシ樹脂等の有機樹脂等から構成される表面保護層２１７が形成され、表面保護層２１７の上には複数並列したストライプ状のＩＴＯ（Ｉｎｄｉｕｍ  Ｔｉｎ  Ｏｘｉｄｅ）等の透明導電体からなる透明電極２１６が形成され、透明電極２１６の上には、ポリイミド樹脂等からなる配向膜２３３が形成されている。また、第１基板２１１の外面には位相差板２４０及び偏光板２４１が配置されている。
【００２７】
＜対向基板の構造＞
一方、液晶装置用基板２１０と対向する対向基板２２０は、ガラス等からなる第２基板２２１上に、ＩＴＯ等の透明導電体からなる透明電極２２２及びポリイミド樹脂等からなる配向膜２２４が順次積層されている。また、第２基板２２１の外面には位相差板２５０及び偏光板２５１が配置されている。
【００２８】
＜照明装置の構造＞
次に、照明装置２７０の構造について説明する。第１基板２１１の背面に配設された照明装置２７０は、複数のＬＥＤ２７１（図２（ａ）においては１個だけが図示されている）と導光板２７２とを有する。ＬＥＤ２７１は、導光板２７２の側面側に対向するように配置され、この側端面に対して光を照射する。導光板２７２は、側端面に入射したＬＥＤ２７１からの光を液晶装置２００の基板面（第１基板２１１の表面）に対して一様に導くための板状部材である。
【００２９】
ここで、本実施の形態に用いられる照明装置２７０から、液晶装置用基板２１０に対して照射される照明光の分光特性（照明光の波長と輝度との関係）について、図３を参照して説明する。図３は、照明光の波長と輝度との関係を示すグラフであって、横軸に波長を、縦軸に各波長における照明光の輝度を、所定の輝度を基準値（１．００）とした場合の相対値として示している。図３に示すように、本実施の形態においては、照明光が、可視光領域内の波長の全域にわたって輝度にばらつきがある場合、すなわち、照明光の分光特性が不均一な場合を想定している。具体的には、本実施の形態における照明光は、青色光〜緑色光に対応する４７０ｎｍ近傍の波長において輝度が最大となる一方、黄色光〜赤色光に対応する約５２０ｎｍ以上の波長における輝度は、これと比較して小さくなっている。
【００３０】
このような、分光特性が不均一な照明光を用いて透過型表示を行うと、輝度の相対値が大きい波長の発色が強く起こるために、本来であれば、画像表示は青味がかって表示されるが、図２（ｂ）に示したように、本実施の形態においては、各開口部２１２ａの面積（赤の着色層２１５Ｒに対応した面積ｌ、緑の着色層２１５Ｇに対応した面積ｍ、青の着色層２１５Ｂに対応した面積ｎ）は、それぞれ異なっており、各開口部２１２ａの面積はそれぞれ照明光の分光特性に応じた面積となっている。本実施の形態においては、各開口部２１２ａの面積を、ｌ＞ｎ＞ｍとなるように設定することによって、透過型表示における青色及び緑色の光の絶対量を減少させ、ホワイトバランスに優れた画像表示を実現することができる。
【００３１】
開口部２１２ａの大きさｌ、ｍ、ｎの設定の方法としては、例えば、各着色層２１５Ｒ、２１５Ｇ、２１５Ｂを通過した照明光を混合したときに表現される白色が、図４に示す、ＣＩＥ（１９３１ｘｙ）色度図上のｘ＝０．２〜０．５、ｙ＝０．２〜０．５の範囲で表される白色となるようすることを挙げることができる。図４において、ｘ、ｙは色度座標と呼ばれ、色相及び彩度よりなる色質を表している。図４に示すように、ＣＩＥ色度図中には、ＮＴＳＣ受像三原色を表す馬蹄形の範囲が示され、中心部は白色を示す部分であり、各頂点のＲ、Ｇ、Ｂに向ってそれぞれ赤、緑、青の色が原色となるように変化し、外周部分においては、単色スペクトルの色を表している。このように、ＣＩＥ色度図のｘ、ｙの色座標を決定することによって、色を一義的に決定することができ、優れた色再現性及びホワイトバランスを実現することができる。
【００３２】
また、このような電気光学装置において、ＣＩＥ色度図上で、白色点が、Ｘ＜０．２，Ｘ＞０．５、Ｙ＜０．２，Ｙ＞０．５の領域に位置する場合においては、白色が色味を帯びた白になり、三原色をすべて発光させて白を表示した場合に、例えば、黄色味がかった白になったりする。従って、表示の色再現性が非常に損なわれてしまう。
【００３３】
また、ＣＩＥ色度図上で、白色点（Ｘ，Ｙ）が、（Ｘ−０．３１）2＋（Ｙ−０．３１）2≦（０．１０）2の関係を満たす場合には、さらに優れた色再現性及びホワイトバランスを実現することができる。
【００３４】
また、照明光原因での不均一のみならず、色材で表現しにくい色のバランスをとることが可能である。例えば、青色等の色材は、熱で色が淡くなったりするので、透過型表示における透過光の分光特性が不均一になる。すなわち、色材を原因とする透過型表示における透過光の分光特性の不均一による色再現性の低下を抑え、ホワイトバランスに優れた画像表示を実現することが可能になる。
【００３５】
図５は、横軸を各着色層２１５Ｒ、２１５Ｇ、２１５Ｂへ入射する入射光の波長とし、縦軸を透過率（入射光量に対する出射光量の割合）として、着色層２１５Ｒ、２１５Ｇ、２１５Ｂの各々の透過率特性を示すグラフである。図５に示すように着色層２１５Ｒは赤色に対応する波長６００ｎｍ以上の光に対して高い透過率を示し、着色層２１５Ｇは緑色に対応する波長５００ｎｍ〜６００ｎｍの光に対して高い透過率を示し、着色層２１５Ｂは青色に対応する波長４００ｎｍ〜５００ｎｍの光に対して高い透過率を示すようになっている。
【００３６】
次に、図６を参照して、反射層２１２に形成された開口部２１２ａの態様についてさらに具体的に説明する。図６は、第１基板上に形成された各要素と第２基板上に形成された透明電極との位置関係を示す平面図である。反射層２１２の上には着色層２１５Ｒ、２１５Ｇ、２１５Ｂがストライプ状に配置され、その上に縦横に透明電極２１６、２２２がストライプ状に形成されている。透明電極２１６と透明電極２２２とは相互に直交し、その交差領域はマトリクス状に配列された多数のドット２８０を構成している。図６では、各色の着色層２１５Ｒ、２１５Ｇ、２１５Ｂが配設されているそれぞれのドットを２８０Ｒ、２８０Ｇ、２８０Ｂとしている。
【００３７】
図３に示したような分光特性を有する照明光を用いて、図５に示したような透過率特性を有する着色層２１５Ｒ、２１５Ｇ、２１５Ｂを用いた場合においては、照明光のうち最も輝度が低い波長に対応するＲ（赤）の着色層２１５Ｒが配置されているドット２８０Ｒの開口部２１２ａが最も大きく形成され、最も輝度が高い波長に対応するＧ（緑）の着色層２１５Ｇが配置されているドット２８０Ｂの開口部２１２ａが最も小さく形成されている。この開口部２１２ａの面積は、反射層２１２上に形成される各ドット２８０Ｒ、２８０Ｇ、２８０Ｂ毎に統一され、各ドット２８０Ｒ、２８０Ｇ、２８０Ｂに対応する開口部２１２ａの面積比を、「ドット２８０Ｒ：ドット２８０Ｇ：ドット２８０Ｂ＝４：１：２」とした場合を図示している。
【００３８】
ここで、図７は以上説明した構成により透過型表示を行った場合に、液晶装置から出射する光（以下、「観察光」という）の分光特性を示すグラフである。一方、図８には、図７との対比例として、開口部を全て同一面積とした構成（以下、「従来の構成」という）で透過型表示を行った場合の観察光の分光特性を示している。なお、いずれの図においても、図３に示した分光特性を有する照明光を用いて透過型表示を行った場合の分光特性を示している。また、図７及び図８のいずれにおいても、横軸には波長を示しており、縦軸には観察光の輝度が、所定の輝度（図７及び図８の双方において同一の輝度）を基準（１．００）とした場合の相対値として示している。
【００３９】
図８に示すように、従来の構成を採った場合、観察者によって視認される観察光は波長４７０ｎｍ近傍において極めて高い輝度の光となる。従って、観察者に認識される画像表示は青緑がかってしまう。これに対し、ドット２８０Ｒ、２８０Ｇ、２８０Ｂにおける透過領域の割合を４：１：２とした構成を採った場合、図７に示すように、波長４７０ｎｍ近傍における輝度が図８に示した場合と比較して低くなっている。従って、青色光から緑色光にかけての輝度が、他の波長における輝度よりも強い照明光を用いて透過型表示を行った場合であっても、観察者に視認される画像が青緑がかってしまう事態を回避することができる。
【００４０】
このように、本実施の形態によれば、照明光のうち輝度が比較的低い波長の光については、反射層を十分に透過させる一方、輝度が比較的高い波長の光については、反射層の透過を制限することにより、照明光の分光特性が不均一な場合においても、これに起因した色再現性の低下を抑え、ホワイトバランスの優れた画像表示を実現できる。
【００４１】
また、従来の液晶装置では、外光が画像表示を行うまでに着色層を二度通過する反射型表示と比較して、照明光が着色層を一度しか通過しない透過型表示は画像表示が薄くなるが、本実施の形態のように、基板上に下地層を形成し、その透過領域に形成された凹部の中に着色層を埋設することで、透過表示を実現する照明光が通過する着色層の厚みを厚くして、反射型表示の明るさを低下させることなく、透過型表示の色の濃さを向上させることができる。
【００４２】
［第２の実施の形態］
次に、本発明の第２の実施の形態の液晶装置について、図９を用いて説明する。図９は液晶装置３００の構成を示す断面図である。図２に示した各要素と共通する要素については、図２と同一の符号を付して説明を省略する。
【００４３】
図９に示すように、第１基板３１１の表面には、アルミニウム、銀もしくはこれらの合金、又はアルミニウム、銀もしくはこれらの合金と、チタン、窒化チタン、モリブデン、タンタル等との積層膜から構成された反射層３１２が形成されている。反射層３１２には、ドット毎に、照明装置２７０からの光を透過するための透過領域と、外光を反射するための反射領域３１２ｒとを有するように形成されている。本実施の形態においては、透過領域は開口部３１２ａとしてフォトリソグラフィ技術及びエッチング法等によって形成されている。開口部３１２ａは、第１の実施の形態と同様に、照明光の分光特性に合わせて大きさが異なるように形成されている。
【００４４】
反射層３１２の上には、ＳｉＯ2やＴｉＯ2等の無機材料又はアクリル樹脂やエポキシ樹脂等の有機樹脂等から構成される表面保護層３１７が形成され、表面保護層３１７の上には複数並列したストライプ状のＩＴＯ等の透明導電体からなる透明電極３１６が形成され、透明電極３１６の上には、ポリイミド樹脂等からなる配向膜３３３が形成されている。また、第１基板３１１の外面には位相差板３４０及び偏光板３４１が配置されている。
【００４５】
一方、液晶装置用基板３１０と対向する対向基板３２０は、第２基板３２１上の反射層３１２の反射領域３１２ｒと対応した領域に、ＳｉＯ2やＴｉＯ2等の無機材料又はアクリル樹脂やエポキシ樹脂等の有機樹脂等から構成される下地層３１３が形成されている。これにより、第２基板３２１には、反射層３１２の開口部３１２ａに対応した領域に凹部３６０が形成されている。
【００４６】
下地層３１３の上には、Ｒ（赤）、Ｇ（緑）及びＢ（青）の着色層３１５Ｒ、３１５Ｇ、３１５Ｂが、第２基板３２１上に形成された凹部３６０を完全に覆うように形成されている。この着色層３１５Ｒ、３１５Ｇ、３１５Ｂは、第２基板３２１上に形成された凹部３６０に埋設されるように形成されているために、透過領域（開口部３１２ａの形成領域）において、反射領域３１２ｒよりも着色層３１５Ｒ、３１５Ｇ、３１５Ｂの厚みが厚くなっている。これによって、透過型表示の場合において、着色層３１５Ｒ、３１５Ｇ、３１５Ｂを１回しか通過しない透過光であっても、色の濃い画像表示をすることができる。ここで、各着色層３１５Ｒ、３１５Ｇ、３１５Ｂの透過領域（開口部３１２ａの形成領域）における厚さは、着色層３１５Ｒ、３１５Ｇ、３１５Ｂの夫々の液晶側表面がほぼ均一に形成されている場合には、各着色層３１５Ｒ、３１５Ｇ、３１５Ｂの反射領域３１２ｒと平面的に重なる部分、すなわちその他の部分の厚さのほぼ２倍であることが好ましい。より具体的には１．４倍〜２．６倍の範囲内であることが好ましく、１．７倍〜２．３倍の範囲内であることが望ましい。このようにすると、反射型表示の彩度と、透過型表示の彩度との差異をさらに低減し、両表示間の色彩の相違をさらに低減できる。
【００４７】
着色層３１５Ｒ、３１５Ｇ、３１５Ｂは、通常、透明樹脂中に顔料や染料等の着色材を分散させて所定の色調を呈するように形成されている。また、各着色層３１５Ｒ、３１５Ｇ、３１５Ｂが形成される領域の境界部分においてＲ（赤）、Ｇ（緑）、Ｂ（青）の３色が互いに重なるように配置され、黒色遮光膜３１５ＢＭ（ブラックマスク）を形成している。
【００４８】
着色層３１５Ｒ、３１５Ｇ、３１５Ｂの上には、ＳｉＯ2やＴｉＯ2等の無機材料又はアクリル樹脂やエポキシ樹脂等の有機樹脂等から構成される表面保護層３２３、ＩＴＯ等の透明導電体からなる透明電極３２２及びポリイミド樹脂等からなる配向膜３２４が順次積層されている。また、第２基板３２１の外面には位相差板３５０及び偏光板３５１が配置されている。
【００４９】
このように構成された、液晶装置用基板３１０と対向基板３２０は液晶３３２を狭持して配置されることによって、第１の実施の形態と同様に、照明光の分光特性が不均一な場合においても、これに起因した色再現性の低下を抑え、ホワイトバランスの優れた画像表示を実現できるとともに、反射型表示の明るさを低下させることなく、透過型表示の色の濃さを向上させることができる。
【００５０】
［第３の実施の形態］
次に、本発明をアクティブマトリクス方式の半透過反射型の液晶装置に適用した第３の実施の形態について説明する。なお、以下では、スイッチング素子として二端子型スイッチング素子であるＴＦＤ（Ｔｈｉｎ  Ｆｉｌｍ  Ｄｉｏｄｅ）を用いた場合を例示する。また、以下に示す図面中の各要素のうち、図２に示した各要素と共通する要素については、図２と同一の符号を付して説明を省略する。
【００５１】
まず、図１０は本実施の形態の液晶装置４００の構造を示す断面図であり、図１１は、液晶装置を構成する液晶表示パネルの要部構成を示す斜視図である。図１０は、図１１のＡ−Ａ’線における断面図に相当する。これらの図に示すように第２基板４２１の内側表面には、マトリクス状に配列する複数の画素電極４１３と、各画素電極４１３の間隙部分において所定の方向（図１０における紙面垂直方向）に延在する複数のデータ線４１４とが形成されている。各画素電極４１３は、例えば、ＩＴＯ等の透明導電材料により形成される。さらに、各画素電極４１３と各画素電極４１３に隣接するデータ線４１４とは、ＴＦＤ４１５を介して電気的に接続されている。各ＴＦＤ４１５は、非線形な電流−電圧特性を有する二端子型スイッチング素子である。
【００５２】
一方、第１基板２１１の内側には、上記第１の実施の形態の液晶装置と同様の、下地層２１３と、複数の開口部２１２ａを有する反射層２１２と、各着色層２１５Ｒ、２１５Ｇ、２１５Ｂと、黒色遮光膜２１５ＢＭ及び表面保護層２１７とが形成されている、さらに、表面保護層２１７の表面には、データ線４１４と交差する方向に延在する複数の走査線４２７が形成されている。図１０及び図１１に示すように、各走査線４２７は透明導電材料により形成された帯状の電極である。ここで、図１２は、第１基板２１１（図１０参照）上に形成された各要素（一点鎖線で示されている）と各走査線４２７との位置関係を示している。各走査線４２７は、第２基板４２１（図１０参照）上に列をなす複数の画素電極４１３と対向するようになっている、このような構成の液晶装置は、第２基板４２１（図１０参照）上の画素電極４１３と第１基板２１１（図１０参照）上の走査線４２７との間に電圧が印加されることにより、両電極によって挟まれた液晶２３２の配向状態が変化する。すなわち、本実施の形態においては、各画素電極４１３と各走査線４２７とが対向する領域がドット２８０（より具体的に着色層２１５Ｒ、２１５Ｇ、２１５Ｂの各々に対応するドット２８０Ｒ、２８０Ｇ、２８０Ｂ）に相当することとなる。
【００５３】
上記第１の実施の形態と同様、本実施の形態においても、反射層２１２のうち各ドット２８０の中央近傍に対応する位置には開口部２１２ａが形成されている。そして、各開口部２１２ａの面積は、ドット２８０Ｒ、２８０Ｇ、２８０Ｂの各々に占める透過領域の割合が、照明装置からの照明光の分光特性に応じた割合となるように決定されている。ここで、本実施の形態においても図３に示した分光特性を有する照明光を用いて透過型表示を行う場合を想定している。従って、照明光のうち、最も輝度が高い波長に対応する緑色の着色層２１５Ｇに形成されたドット２８０Ｇにおいては、これに対応する開口部２１２ａの面積が、他の色に対応するドット２８０Ｒ、２８０Ｂに対応する面積と比較して小さくなっている。すなわち、ドット２８０Ｇに占める透過領域の割合は、他の色のドット２８０Ｒ、２８０Ｂに占める透過領域の割合よりも小さくなっている。これに対し、照明光のうち最も輝度が低い波長に対応するドット２８０Ｒについては、開口部２１２ａの面積が大きく、ドット２８０Ｒの占める透過領域の割合が、他の色のドット２８０Ｇ、２８０Ｂと比較して大きくなっている。図１２に示した例では、ドット２８０Ｒ、２８０Ｇ、２８０Ｂの各々に対する開口部２１２ａの面積比を「４：１：２」とした場合を示している。
【００５４】
また、着色層２１５Ｒ、２１５Ｇ、２１５Ｂは反射層２１２の開口部２１２ａに形成された凹部に埋設されて形成されているために、透過型表示に用いられる透過領域における着色層２１５Ｒ、２１５Ｇ、２１５Ｂの厚みが厚くなるように構成されている。このように構成することによって、第１の実施の形態と同様の効果を得ることができる。ここで、各着色層２１５Ｒ、２１５Ｇ、２１５Ｂの透過領域（開口部２１２ａの形成領域）における厚さは、着色層２１５Ｒ、２１５Ｇ、２１５Ｂの夫々の液晶側表面がほぼ均一に形成されている場合には、各着色層２１５Ｒ、２１５Ｇ、２１５Ｂの反射領域２１２ｒと平面的に重なる部分、すなわちその他の部分の厚さのほぼ２倍であることが好ましい。より具体的には１．４倍〜２．６倍の範囲内であることが好ましく、１．７倍〜２．３倍の範囲内であることが望ましい。このようにすると、反射型表示の彩度と、透過型表示の彩度との差異をさらに低減し、両表示間の色彩の相違をさらに低減できる。
【００５５】
＜変形例＞
以上、本発明の実施の形態について説明したが、上記実施の形態はあくまでも例示であり、上記実施の形態に対しては、本発明の趣旨から逸脱しない範囲で様々な変形を加えることができる。変形例としては、例えば、以下のものを挙げることができる。
【００５６】
（１）  上記各実施の形態においては、照明装置からの照明光の分光特性に応じて、各ドット２８０に対応する各開口部２１２ａの面積を異ならせるようにしたが、以下のようにしてもよい。図１３は、本発明の変形例である液晶装置において、第１基板上に形成された各要素と第２基板上に形成された透明電極２２２との位置関係を示す平面図である。図１３に示すように、反射層２１２に設けられる各開口部２１２ａの大きさを略同一とする一方、各ドット２８０に対応して設けられる開口部２１２ａの個数（開口面積）を、照明光の分光特性に応じたものとしている。
【００５７】
例えば、上記各実施の形態においては、図３に示した照明光の分光特性に応じて、ドット２８０Ｒ、２８０Ｇ、２８０Ｂに対応する開口部２１２ａの面積比を「４：１：２」としたが、本変形例においては、図１３に示すように、ドット２８０Ｒ、２８０Ｇ、２８０Ｂに対応する開口部２１２ａの個数を「４：１：２」としている。このような構成にした場合においても、上記各実施の形態と同様の効果を得ることができる。さらに、上記各実施の形態のように、各ドット２８０の一部にのみ開口部２１２ａを形成した場合、各ドット２８０において各開口部２１２ａの位置が偏ってしまう結果、観察者によって視認される画像表示にざらつき感が生じることもあり得るが、本変形例に示した構成によれば、各ドット２８０において、開口部２１２ａを散在させることができることから、このような不具合を回避することができる。
【００５８】
また、上記各実施の形態においては、各ドット２８０における中央近傍の部分に開口部２１２ａを形成していたが、反射層２１２の中であればどこにでも形成することができるとともに、開口部２１２ａを反射層２１２の周辺部分に形成してもよい。
【００５９】
また、これまでの説明においては、反射層２１２の透光領域として、開口部２１２ａを用いた場合について説明してきたが、「透光領域」とは「反射層のうち、照明装置からの照明光を透過させる部分」を意味し、開口部２１２ａに限定されるものではない。
【００６０】
（２）  これまでの説明においては、異なる色の着色層が配設されたドット毎に透過領域の割合を異ならせるようにし、同一色の着色層が配設されたドットにおいては透過領域の割合は同一としていた。照明装置からの照明光の分光特性が液晶装置の基板面の全面において同一であれば、このような構成によって照明光の分光特性の不均一性を十分補償することができるが、照明装置からの照明光の分光特性が、基板面内の各箇所において異なる場合もあり得る。例えば、基板面内のある箇所には、図３に示した分光特性を有する照明光が照射されるが、他の箇所には図３に示したのと異なる分光特性を有する照明光が照射されるといった場合である。
【００６１】
このような場合には、基板面内における各ドットの位置に応じて透過領域の割合を異ならせるようにしてもよい。例えば、図３に示した分光特性を有する照明光が照射される箇所に位置するドットにおいては、透過領域の面積比を「４：１：２」とする一方、この照明光と比較して青色光から緑色光にかけての輝度が若干低い照明光が照射される箇所に位置するドットにおいては、透過領域の面積比を「３：１：２」とする、といった具合である。このように、同一色に対応するドットにおける透光領域の割合は、必ずしもすべてのドットにわたって同一である必要はない。このように構成することによって、上記各実施の形態に示した効果に加え、照明光の分光特性が基板面内においても不均一である場合にもこれを補償することができることから、より確実にコントラストを向上させることができる。
【００６２】
（３）  これまでの説明においては、照明装置からの照明光が図３に示す分光特性を示す場合を例示したが、図３とは異なる分光特性を示す照明光を透過型表示に際して用いる場合にも、反射層の透光領域を、照明光の分光特性に応じた面積にすることで、分光特性のばらつきを補償してコントラストを向上させることができる。
【００６３】
（４）  これまでの説明においては、着色層の配列パターンとしてストライプ状に着色層が配列されるストライプ配列の場合を例示したが、これに限られるものでなく、例えば、デルタ配列、モザイク配列等のパターンをであってもよい。
【００６４】
（５）  第３の実施の形態においては、スイッチング素子としてＴＦＤを採用したアクティブマトリクス方式の液晶装置を例示したが、本発明の適用範囲はこれに限られるものではなく、ＴＦＴ（Ｔｈｉｎ  Ｆｉｌｍ  Ｔｒａｎｓｉｓｔｏｒ）に代表される三端子型スイッチング素子を採用した液晶装置にも適用することができる。なお、ＴＦＴを用いた場合、一方の基板の全面にわたって対向電極が形成され、他方の基板上には複数の走査線と複数のデータ線とが相互に交差する方向に延在して形成されるとともに、これらの双方にＴＦＴを介して接続された画素電極がマトリクス状に配列して形成されることとなる。この場合、各画素電極と対向電極とが対向する領域が画素として機能することとなる。
【００６５】
（６）  これまでの説明においては、電気光学装置の例として液晶装置について説明したが、液晶以外の電気光学物質（例えば、ＥＬ発光素子）を用いた電気光学装置に本発明を適用してもよい。
【００６６】
［電子機器の実施の形態］
次に、これまでに説明した液晶装置を電子機器の表示装置として用いる場合の実施の形態について説明する。図１４は、本発明の電子機器の全体構成を示す概略構成図である。ここに示す電子機器は、上記と同様の液晶装置２００と、これを制御する制御手段１２００とを有する。ここでは、液晶装置２００を、パネル構造体２００Ａと、半導体ＩＣ等で構成される駆動回路２００Ｂとに概念的に分けて描いてある。また、制御手段１２００は、表示情報出力源１２１０と、表示処理回路１２２０と、電源回路１２３０と、タイミングジェネレータ１２４０とを有する。
【００６７】
表示情報出力源１２１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されている。
【００６８】
表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給する。駆動回路２００Ｂは、走査線駆動回路、データ線駆動回路及び検査回路を含む。また、電源回路１２３０は、上述の各構成要素にそれぞれ所定の電圧を供給する。
【００６９】
図１５は、本発明の電子機器の一の実施の形態であるモバイル型のパーソナルコンピュータを示している。ここに示すパーソナルコンピュータ８０は、キーボード８１を備えた本体部８２と、液晶表示ユニット８３とを有する。液晶表示ユニット８３は、前述した液晶装置２００を含んで構成される。
【００７０】
図１６は、本発明の電子機器の他の実施の形態である携帯電話機を示している。ここに示す携帯電話機９０は、複数の操作ボタン９１と、前述した液晶装置２００からなる表示部とを有している。
【００７１】
このように、本発明の電子機器は、前述の電気光学装置、例えば、液晶装置を備えてなることによって、透過型表示における照明光の分光特性が不均一な場合であっても、これに起因する色再現性の低下を抑え、ホワイトバランスに優れた画像表示を実現することができるとともに、反射型表示の明るさを低下させることなく、透過型表示の色の濃さを向上させることができる。
【００７２】
なお、本発明の電子機器は、上述の図示例にのみ限定されるものではなく、本発明の要旨を逸脱しない範囲内において種々変更を加え得ることは勿論である。例えば、上記実施の形態は所謂ＣＯＧタイプの構造を有しているが、ＩＣチップを直接実装する構造ではない液晶装置、例えば液晶パネルにフレキシブル配線基板やＴＡＢ基板を接続するように構成されたものであっても構わない。
【００７３】
【発明の効果】
以上、説明したように本発明によれば、透過型表示において用いる照明光の分光特性が不均一な場合においても、これに起因した色再現性の低下を抑え、ホワイトバランスの優れた画像表示を実現できるとともに、反射型表示の明るさを低下させることなく、透過型表示の色の濃さを向上させることができる。
【図面の簡単な説明】
【図１】本発明の第１の実施の形態である液晶装置の外観構造を示す概略斜視図である。
【図２】図１に示す第１の実施の形態における液晶装置を一部拡大して示す説明図であって、（ａ）は、断面図、（ｂ）は、その液晶装置用基板部分における一部拡大図である。
【図３】本発明の第１の実施の形態である液晶装置において、照明装置から照射される、照明光の分光特性を示すグラフである。
【図４】ＣＩＥ（１９３１ｘｙ）色度図を示すグラフである。
【図５】横軸を各着色層へ入射する入射光の波長とし、縦軸を透過率（入射光量に対する出射光量の割合）とした場合の、各着色層の透過率特性を示すグラフである。
【図６】本発明の第１の実施の形態である液晶装置において、第１基板上に形成された各要素と第２基板上に形成された透明電極との位置関係を示す平面図である。
【図７】本発明の第１の実施の形態である液晶装置から出射する光の分光特性を表すグラフである。
【図８】反射層の開口部を全て同一面積とした構成で透過型表示を行った場合の光の分光特性を示すグラフである。
【図９】本発明の第２の実施の形態である液晶装置の構成を示す断面図である。
【図１０】本発明の第３の実施の形態である液晶装置の構成を示す断面図である。
【図１１】本発明の第３の実施の形態である液晶装置を構成する液晶表示パネルの要部構成を示す斜視図である。
【図１２】本発明の第３の実施の形態である液晶装置において、第１基板上に形成された各要素と第２基板上に形成された各データ線との位置関係を示す平面図である。
【図１３】本発明の変形例である液晶装置において、第１基板上に形成された各要素と第２基板上に形成された透明電極との位置関係を示す平面図である。
【図１４】本発明の電子機器の全体構成を示す概略構成図である。
【図１５】本発明の電子機器の一の実施の形態であるモバイル型のパーソナルコンピュータを示す説明図である。
【図１６】本発明の電子機器の他の実施の形態である携帯電話機を示す説明図である。
【図１７】従来の半透過反射型液晶装置の構造を模式的に示す概略断面図である。
【符号の説明】
８０…パーソナルコンピュータ
８１…キーボード
８２…本体部
８３…液晶表示ユニット
９０…携帯電話機
９１…操作ボタン
２００…液晶装置
２００Ａ…パネル構造体
２００Ｂ…駆動回路
２１０…液晶装置用基板
２１０Ｔ…基板張出部
２１１…第１基板
２１２…反射層
２１２ａ…開口部
２１２ｒ…反射領域
２１３…下地層
２１５，２１５Ｒ，２１５Ｇ，２１５Ｂ…着色層
２１５ＢＭ…黒色遮光膜
２１６…透明電極
３１７…表面保護層
２１８，２１８Ａ，２１８Ｂ…配線
２１９…入力端子部
２２０…対向基板
２２１…第２基板
２２２…透明電極
２２４…配向膜
２２８…配線
２３０…シール材
２３３…配向膜
２４０，２５０…位相差板
２４１，２５１…偏光板
２６１…半導体ＩＣ
２６３…フレキシブル配線基板
２７０…照明装置
２７１…ＬＥＤ
２７２…導光板
２８０，２８０Ｒ，２８０Ｇ，２８０Ｂ…ドット
３００…液晶装置
３１１…第１基板
３１２…反射層
３１２ａ…開口部
３１２ｒ…反射領域
３１３…下地層
３１５Ｒ，３１５Ｇ，３１５Ｂ…着色層
３１５ＢＭ…黒色遮光膜
３１６…透明電極
３１７…表面保護層
３２０…対向基板
３２１…第２基板
３２２…透明電極
３２４…配向膜
３３３…配向膜
３４０，３５０…位相差板
３４１，３５１…偏光板
３８０，３８０Ｒ，３８０Ｇ，３８０Ｂ…ドット
４００…液晶装置
４１３…画素電極
４１４…データ線
４１５…ＴＦＤ
４２０…対向基板
４２１…第２基板
４２７…走査線
１２００…制御手段
１２１０…表示情報出力源
１２２０…表示処理回路
１２３０…電源回路
１２４０…タイミングジェネレータ
Ａ…液晶表示領域
【図１】
0004003451.tif 000002
【図２】
0004003451.tif 000003
【図３】
0004003451.tif 000004
【図４】
0004003451.tif 000005
【図５】
0004003451.tif 000006
【図６】
0004003451.tif 000007
【図７】
0004003451.tif 000008
【図８】
0004003451.tif 000009
【図９】
0004003451.tif 000010
【図１０】
0004003451.tif 000011
【図１１】
0004003451.tif 000012
【図１２】
0004003451.tif 000013
【図１３】
0004003451.tif 000014
【図１４】
0004003451.tif 000015
【図１５】
0004003451.tif 000016
【図１６】
0004003451.tif 000017
【図１７】
0004003451.tif 000018